(57)【要約】      （修正有）【課題】フローティングガイドインサートコネクターを提供する。【解決手段】フローティングガイドインサートコネクターはオスプラグ１２とメスソケットとを備える。オスプラグは、第１の筐体１２２２と第３の筐体１２４と第１の電極と固定部材１２８とを含む。第１の筐体には、第１の貫通孔１２２４とギャップ１２２６と第１の収容空間１２２８と第１の開口１２２１０と第１の電極溝１２２１２が形成される。第３の筐体は、ロックヘッド１２４２と突出部１２４４と第３の貫通孔１２４６と第３の収容空間とプラグとを含む。第１の筐体と第３の筐体を接合するために、ロックヘッドは第１の開口を通過し１つの角度を回転して、突出部を第１の収容空間にロックさせる。第１の電極は、第３の収容空間とプラグと第３の貫通孔と第１の電極溝とを通過する。メスソケットには、第２の収容空間とスライド面とが形成される。ソケットがプラグに接合されて第１の電極とメスソケットに一端が配置される第２の電極を電気的に接続する。【選択図】図３
0003228100.tif 000002
【実用新案登録請求の範囲】
【請求項１】
回路基板と電子素子に応用されるフローティングガイドインサートコネクターであって、
第１の筐体と、第３の筐体と、第１の電極と、固定部材とを含むオスプラグと、
ソケットと、第２の電極とを含むメスソケットと、
を備え、
前記第１の筐体には、第１の貫通孔と、ギャップと、第１の収容空間と、第１の開口と、第１の電極溝が形成され、前記第１の筐体は前記回路基板に配置され、前記第３の筐体は、ロックヘッドと、突出部と、第３の貫通孔と、第３の収容空間と、プラグとを含み、前記第１の筐体と前記第３の筐体を接合するために、前記ロックヘッドは前記第１の開口を通過し１つの角度を回転して、前記突出部を前記第１の収容空間にロックさせ、前記第１の電極は、前記第３の収容空間と、前記プラグと、前記第３の貫通孔と、前記第１の電極溝とを通過し、
前記ソケットには、第２の収容空間と、スライド面とが形成され、前記第２の電極は、一端が前記ソケットに配置され、他端が前記第２の収容空間に配置されて前記電子素子に接続し、
前記ソケットが前記プラグに接合されて前記第１の電極と前記第２の電極を電気的に接続するように、前記スライド面は前記第３の収容空間と接合することを特徴とするフローティングガイドインサートコネクター。
【請求項２】
前記オスプラグは、前記第１の筐体を前記回路基板に固定するために、前記第１の貫通孔に配置される固定部材を更に含むことを特徴とする請求項１に記載のフローティングガイドインサートコネクター。
【請求項３】
前記プラグは、前記第３の筐体にける前記第３の収容空間の中央部分に形成され、
前記ソケットは、前記メスソケットの中央部分に形成されることを特徴とする請求項１に記載のフローティングガイドインサートコネクター。
【請求項４】
前記ソケットの外周縁は、前記第１の筐体の内周縁以下であることを特徴とする請求項１に記載のフローティングガイドインサートコネクター。
【請求項５】
第１の開口は、円形であり、
第３の収容空間は内錐体であり、前記ソケットは錐体であることを特徴とする請求項４に記載のフローティングガイドインサートコネクター。
【請求項６】
前記第２の電極は、一端が前記ソケットにロックされ、他端が外部からのワイヤーを挟持するような挟持構造に形成されることを特徴とする請求項１に記載のフローティングガイドインサートコネクター。
【請求項７】
ロックヘッドは、ファンブレード形状であり、
前記ファンブレード形状の中央部分には第３の貫通孔が形成され、
前記ファンブレード形状の周縁には複数の突出部が形成され、
前記複数の突出部は、第１の筐体のギャップに対応され、
前記複数の突出部は、Ｃ字形の第５の収容空間を形成して、第１の収容空間にロックされることを特徴とする請求項６に記載のフローティングガイドインサートコネクター。
【請求項８】
前記第５の収容空間の開口幅は、ギャップの厚さ以上であることを特徴とする請求項７に記載のフローティングガイドインサートコネクター。
【請求項９】
前記メスソケットは、留め具を更に含み、
前記メスソケットを前記電子素子に固定するために、前記留め具の一端は前記第２の収容空間にロックされ、他端が前記電子素子に設けられることを特徴とする請求項１に記載のフローティングガイドインサートコネクター。
【請求項１０】
前記メスソケットは、前記電子素子に設けられる位置合わせ部材を更に含むことを特徴とする請求項１に記載のフローティングガイドインサートコネクター。
【考案の詳細な説明】
【技術分野】
【０００１】
本考案は、コネクタの技術分野に関わり、特に大きなガイド角度を持つフローティングガイドインサートコネクターに関するものである。
【背景技術】
【０００２】
従来の回路基板は、オスプラグとメスソケットを接続する場合、回路基板が視線を遮る可能性があり、ブラインド挿入のように直接スムーズに接続することができない。
【考案の概要】
【考案が解決しようとする課題】
【０００３】
ブラインド挿入は、挿入の過程で正確に位置合わせできないにより、オスプラグとメスソケットの破損、ひいては回路基板の破損を引き起こす可能性がある。
【０００４】
以上の問題に対して、本考案は、従来の技術における欠陥を解決するためのフローティングガイドインサートコネクターを提供する。
【課題を解決するための手段】
【０００５】
本考案の第一の目的は、回路基板と電子素子に応用して、回路基板と電子素子をブラインド連結できるフローティングガイドインサートコネクターを提供する。
【０００６】
本考案の第二の目的は、上記のフローティングガイドインサートコネクターにより、接合する時に大きな位置ずれの許容度を許容して、ある範囲でスムーズにオスプラグとメスソケットを接合することができる。
【０００７】
本考案の第三の目的は、上記のフローティングガイドインサートコネクターにより、フローティング接続が可能になり、取り外して接合することができる。
【０００８】
本考案の第四の目的は、上記のフローティングガイドインサートコネクターにより、メスソケットの筐体の外縁は、オスプラグの筐体の内縁以下である。
【０００９】
本考案の第五の目的は、上記のフローティングガイドインサートコネクターにより、オスプラグとメスソケットの電極を電気的に接続するために、メスソケットの錐体がオスプラグの内錐体の収容空間に挿入される。
【００１０】
本考案の第六の目的は、上記のフローティングガイドインサートコネクターにより、メスソケットが、回路基板に固定する又は回路基板から取り外す留め具を提供する。
【００１１】
以上の目的及び他の目的を達成するために、本考案は、回路基板と電子素子に応用されるフローティングガイドインサートコネクターを提供する。フローティングガイドインサートコネクターは、オスプラグと、メスソケットとを備える。オスプラグは、第１の筐体と、第３の筐体と、第１の電極と、固定部材とを含む。第１の筐体には、第１の貫通孔と、ギャップと、第１の収容空間と、第１の開口と、第１の電極溝が形成される。第１の筐体は、回路基板に配置されてもよい。第３の筐体は、ロックヘッドと、突出部と、第３の貫通孔と、第３の収容空間と、プラグとを含む。第１の筐体と第３の筐体を接合するために、ロックヘッドは第１の開口を通過し１つの角度を回転して、突出部を第１の収容空間にロックさせる。第１の電極は、第３の収容空間と、プラグと、第３の貫通孔と、第１の電極溝とを通過する。メスソケットは、ソケットと、第２の電極とを含む。ソケットには、第２の収容空間と、スライド面とが形成される。第２の電極は、一端がソケットに配置され、他端が第２の収容空間に配置されて電子素子に接続することができる。また、ソケットがプラグに接合されて第１の電極と第２の電極を電気的に接続するように、スライド面は第３の収容空間と接合する。
【００１２】
従来の技術と比較して、本考案のフローティングガイドインサートコネクターが提供する大きなガイド角度の設計は、正確な位置合わせを必要とせずに、オスプラグとメスソケットをある許容される変位量（例えば、数センチメートル以内）で接続できる。また、本考案のフローティングガイドインサートコネクターは、オスプラグの部分が２つの筐体の構造であり、ロックヘッドにより可動式組み合わせを行うことができ、接合の過程では、正確な位置合わせを必要とせずに、許容される変位量で接合できる。
【図面の簡単な説明】
【００１３】
【図１】図１は本考案の実施例にかかるフローティングガイドインサートコネクターの分解図である。
【図２】図２は本考案の実施例にかかるフローティングガイドインサートコネクターの接合図である。
【図３】図３は本考案の図１にかかるオスプラグの分解図である。
【図４】図４は本考案の図１にかかるオスプラグの一部を示す図である。
【図５】図５は本考案の図１にかかる第３の筐体を説明するための詳しい図である。
【図６】図６は本考案の図１にかかるメスソケットの斜視図である。
【図７】図７は本考案の図１にかかる第２の電極の構造図である。
【図８】図８は図１にかかるフローティングガイドインサートコネクターが回路基板と電子素子を接続する図である。
【考案を実施するための形態】
【００１４】
本考案の目的、特徴及び効果を十分に理解するために、後述の実施例及び図面に基づいて、本考案を説明する。
【００１５】
本考案において、「１つ」を使用して本明細書に記載されるユニット、デバイスを説明する。特に指摘しない限り、このような説明は、１つ、少なくとも１つを含むと理解され、かつ単数も同時に複数を含む。
【００１６】
本考案において、「含む」、「備える」、「有する」の用語又は他の類似用語は、非排他的なものをカバーすることを意図している。例えば、複数の要素を含むデバイス、構造、製品又は装置は、本明細書に記載された要素だけに限定されず。
【００１７】
図１は本考案の実施例にかかるフローティングガイドインサートコネクターの分解図である。図１では、フローティングガイドインサートコネクター１０は、回路基板２と電子素子８に応用される。本実施例では、電子素子８はファンを例に説明し、前記ファンは、ワイヤー４と接続され、ハウジング６に設けられる。図８も参照してもよい、図８は図１にかかるフローティングガイドインサートコネクターが回路基板２と電子素子８を接続する図である。他の実施例では、電子素子８は、ディスプレイカード、インターフェースカードなどの他の装置であってもよい、他の回路基板に置き換えてもよい。
【００１８】
図１に戻って図２も参照し、図２は本考案の実施例にかかるフローティングガイドインサートコネクターの接合図である。フローティングガイドインサートコネクター１０は、オスプラグ１２と、メスソケット１４とを備える。
【００１９】
図１では、オスプラグ１２でメスソケット１４をセットすることにより、オスプラグ１２をメスソケット１４と接続させ、更にオスプラグ１２の第１の電極１２６（図３に示すように）をメスソケット１４の第２の電極１４４（図６の上図に示すように）と電気的に接続させる。メスソケット１４は、その先端の錐体構造のスライド面ＳＳ（図６の上図に示すように）によって、オスプラグ１２の第３の収容空間１２４８（図４の下図に示すように）に滑り込む。以下は、オスプラグ１２とメスソケット１４を詳しく説明する。
【００２０】
図２、３、４及び５を一緒に参照する。図２は本考案の図１にかかるオスプラグの上面図である。図３は本考案の図１にかかるオスプラグの分解図である。図４は本考案の図１にかかるオスプラグの一部を示す図であり、図４の上図は第１の筐体の上面図であり、図４の中間図は第３の筐体の上面図であり、図４の下図は第３の筐体の下面図である。図５は本考案の図１にかかる第３の筐体を説明するための詳しい図である。
【００２１】
オスプラグ１２は、第１の筐体１２２２と、第３の筐体１２４と、第１の電極１２６と、固定部材１２８とを含む。
【００２２】
第１の筐体１２２２は矩形体を例に説明する。本実施例では、第１の筐体１２２２には、第１の貫通孔１２２４と、ギャップ１２２６と、第１の収容空間１２２８と、第１の開口１２２１０と、第１の電極溝１２２１２が形成される。
【００２３】
固定部材１２８を配置するために、第１の貫通孔１２２４は第１の筐体１２２２の周縁に形成される。固定部材１２８は、例えば回路基板２にはんだ付けされて、第１の筐体１２２２を回路基板２に固定する。本実施例では、固定部材１２８は鋸歯状であってもよく、且つ第１の貫通孔１２２４に挿入することで、第１の貫通孔１２２４に固定してロックする。
【００２４】
ギャップ１２２６は、第１の収容空間１２２８に形成される。本実施例では、第１の収容空間１２２８の形状は円柱の溝であり、ギャップ１２２６は円柱の溝の底部周縁に形成され、円柱の溝の底部は厚さを有する。本実施例では、ギャップ１２２６の数は４つを例に説明し、別の実施例では、ギャップ１２２６の数は４つに限定されなく、４つより少なくても多くてもよい。
【００２５】
第３の筐体のロックヘッド１２４２を挿入できるために、第１の開口１２２１０は円柱の溝の底部に形成される。また、第３の筐体１２４は、ロックヘッド１２４２と、突出部１２４４と、第３の貫通孔１２４６と、第３の収容空間１２４８と、プラグ１２４１０とを含む。
【００２６】
ここで、ロックヘッド１２４２の形状は、ファンブレード形状であり、その中央部分には第３の貫通孔１２４６が形成され、周縁には複数の突出部１２４４が形成される。ここで、突出部１２４４の数は４つを例に説明し、別の実施例では、突出部１２４４の数は４つに限定されなく、４つより少なくても多くてもよい。一般的には、本考案の突出部１２４４の数は、ギャップ１２６６の数以下であり、且つ複数のギャップ１２６６の位置を調整すると、ロックヘッド１２４２を第１のギャップ１２２６に挿入できる。ここで、複数の突出部１２４４同士は、ロックヘッド１２４２の０度、９０度、１８０度及び２７０度などの位置に配置される。言い換えれば、複数の突出部１２４４は、第１の筐体１２２２の複数のギャップ１２２６に対応できれば、ロックヘッド１２４２と第１の収容空間１２２８を接合できる。本実施例では、図５を一緒に参考し、複数の突出部１２４４は、Ｃ字形の第５の収容空間１２４１２を形成して、第１の収容空間１２２８にロックされる。また、突出部１２４４の開口幅は、ギャップ１２２６の厚さ以上である場合、ロックヘッド１２４２をギャップ１２２６に挿入でき、ロックヘッド１２４２を回転するにより、突出部１２４４のギャップを第１の収容空間１２２８の底部（即ち、プレート体の部分）にロックし、更にロックヘッド１２４２を第１の収容空間１２２８にロックする。突出部１２４４が第１の収容空間１２２８に連結されると、第３の筐体１２４と第１の筐体１２２２を接合し、更にフローティング接続を実現できる。例えば、０．１度〜１８０度の角度範囲で第３の筐体１２４と第１の筐体１２２２を接合できる。
【００２７】
ここで、プラグ１２４１０は矩形を例に説明する。プラグ１２４１０は、第３の収容空間１２４８に形成される（第３の収容空間１２４８は内錐体でる）。プラグ１２４１０には、第１の電極１２６を配置するための第３の貫通孔１２４６が形成される。また、第１の電極１２６は、第３の収容空間１２４８と、プラグ１２４１０と、第３の貫通孔と、第１の電極溝１２２１２とを通過して配置される。本実施例では、第１の電極１２６を第３の貫通孔１２４６に固定することを目的として、第１の電極溝１２２１２は、第１の収容空間１２２８の周縁に形成される。ここで、第１の電極１２６は、弾性を有する構造である。
【００２８】
図６を参照し、図６は本考案の図１にかかるメスソケットの斜視図である。図６の上図はメスソケットの上面図であり、図６の下図はメスソケットの下面図である。図６では、メスソケット１４は、ソケット１４２及び第２の電極１４４を含む。
【００２９】
ソケット１４２には、第２の収容空間１４６及びスライド面ＳＳが形成される。ソケット１４２の下方は矩形の基部であり、上方はスライド面ＳＳを有する錐体であり、錐体は、ソケット１４２を形成するために、２つの矩形が凹設され、ソケット１４２はプラグ１２４１０に対応して設けられる。メスソケット１４における矩形の基部の外周縁は、第１の筐体１２２の内周縁以下である。
【００３０】
図１に戻し、メスソケット１４の外周縁は、第３の筐体１２４の内周縁以下であるため、スライド面ＳＳが第３の収容空間１２４８に沿って滑り込まれて、オスプラグ１２の第３の収容空間１２４８はメスソケット１４のソケット１４２を覆い、更に第１の電極１２６が第２の電極１４４に電気的に接続される。
【００３１】
ここで、第２の電極１４４は、一端がソケット１４２にロックされ、他端が外部からのワイヤー４を挟持するような挟持構造に形成される。図７も一緒に参照してもよい、図７は本考案の図１にかかる第２の電極の構造図である。
【００３２】
図８には、留め具及び位置合わせ部材が更に含まれる。メスソケット１４をハウジング６に固定するために、留め具の一端は、第２の収容空間１４６にロックされ、他端がハウジング６に設けられる。本実施例では、留め具は２つの弾性部材を例に説明する。弾性部材が第２の収容空間１４６に挿入された後に、第２の収容空間１４６の内部にある内壁がその弾性部材の弾力により押圧されて、メスソケット１４を挟持する。
【００３３】
位置合わせ部材は、筐体２０に配置される。位置合わせ部材の材質は、弾性体又は任意の材質であってもよい。位置合わせ部材１４８は、第２の筐体１４２をハウジング６の指定位置に挟持することができる。
【００３４】
本考案の実施例を説明したが、実施例は、例として提示したものであり、考案の範囲を限定することは意図していない。実施例は、その他の様々な形態で実施されることが可能であり、考案の要旨を逸脱しない範囲で、種々の省略、置き換え、変更を行うことができる。実施例やその変形は、考案の範囲や要旨に含まれると同様に、特許請求の範囲に記載された考案とその均等の範囲に含まれるものである。
【符号の説明】
【００３５】
２…回路基板
４…ワイヤー
６…ハウジング
８…電子素子
１０…フローティングガイドインサートコネクター
１２…オスプラグ
１２２２…第１の筐体
１２２４…第１の貫通孔
１２２６…ギャップ
１２２８…第１の収容空間
１２２１０…第１の開口
１２２１２…第１の電極溝
１２４…第３の筐体
１２４２…ロックヘッド
１２４４…突出部
１２４６…第３の貫通孔
１２４８…第３の収容空間
１２４１０…プラグ
１２６…第１の電極
１２８…固定部材
１４…メスソケット
１４４…第２の電極
１４６…第２の収容空間
ＳＳ…スライド面
【図１】
0003228100.tif 000003
【図２】
0003228100.tif 000004
【図３】
0003228100.tif 000005
【図４】
0003228100.tif 000006
【図５】
0003228100.tif 000007
【図６】
0003228100.tif 000008
【図７】
0003228100.tif 000009
【図８】
0003228100.tif 000010